(57)【要約】【課題】  簡易な構成でありながら、脚立等の脚下端部から脱落し難く、下面の材質を簡単に変更することの可能な脚カバーを提供すること。【解決手段】 カバー材３は底面部３０並びにこれに連なる第一側面部３１及び第二側面部３２と、第一側面部３１及び第二側面部３２の左右両辺同士をそれぞれ連結するための一対の連結部３８，３８とを備える。第一、第二側面部３１、３２のうち連結部３８よりも上部にそれぞれ張り出す張出部３３，３４をこれに巻き付く固定具２により互いに引き寄せることで、カバー材３を脚立５等の脚下端部に取り付ける。また、カバー材３は樹脂製の下地層３ａ及び繊維層３ｂを有し、表裏反転させて使用することもできる。【選択図】  図１
2006063797.tif 000002
【特許請求の範囲】
【請求項１】
カバー材（３）を脚立（５）等の脚下端部に取り付けて使用する脚カバー（１）であって、前記カバー材（３）は底面部（３０）並びにこれに連なる第一側面部（３１）及び第二側面部（３２）と、前記第一側面部（３１）及び第二側面部（３２）の左右両辺同士をそれぞれ連結するための一対の連結部（３８，３８）とを備えており、前記第一、第二側面部（３１、３２）のうち前記連結部（３８）よりも上部にそれぞれ張り出す張出部（３３，３４）が互いに引き寄せられて前記カバー材（３）が前記脚下端部に固定されることを特徴とする脚カバー。
【請求項２】
前記連結部（３８）は、前記第一側面部（３１）及び第二側面部（３２）のそれぞれから張り出す第一、第二連結部（３５，３６）と、これら第一、第二連結部（３５，３６）を互いに連結する連結具（３７、４０）とを備えることを特徴とする請求項１に記載の脚カバー。
【請求項３】
前記張出部（３３，３４）がこれに巻き付く固定具（２）により互いに引き寄せられるものであることを特徴とする請求項１又は２に記載の脚カバー。
【請求項４】
前記カバー材（３）は樹脂製の下地層（３ａ）及び繊維層（３ｂ）を有し、表裏反転させて使用可能であることを特徴とする請求項１〜３のいずれかに記載の脚カバー。
【請求項５】
前記張出部（３３，３４）を介して固定する固定具（２）をさらに備え、この固定具（２）は、前記第一側面部（３１）のうち前記連結部（３８）よりも上部に張り出す第一張出部（３３）の前記下地層（３ａ）側に固定される帯状体（２０）を備えると共にこの帯状体（２０）の遊端部側における表面にこの第一張出部（３３）の前記繊維層（３ｂ）に係合可能な第二面ファスナー（２４）を備え、前記繊維層（３ｂ）側表面を外側に配向した状態で前記帯状体（２０）を前記第二張出部（３４）に巻き付けると共に、前記第二面ファスナー（２４）と前記繊維層（３ｂ）とを係合させて取り付けを行うことを特徴とする請求項４に記載の脚カバー。
【請求項６】
前記固定具（２）は前記第一側面部（３１）のうち前記連結部（３８）よりも上部に張り出す第一張出部（３３）の前記下地層（３ａ）側に固定される帯状体（２０）及びこの帯状体（２０）の前記第一張出部（３３）側端部にリング（２１）を有し、この帯状体（２０）の固定部側における表面にループテープ（２３）を備えると共に、遊端部側における表面にこのループテープ（２３）に係合可能な第二面ファスナー（２４）を備え、前記下地層（３ｂ）側表面を外側に配向した状態で前記帯状体（２０）を前記第二張出部（３４）に巻き付け、前記帯状体（２０）遊端部側を前記リング（２１）で折り返し、前記帯状体（２０）の遊端部側を前記第二張出部（３４）に巻き付け、前記第二面ファスナー（２４）と前記帯状体（２０）の繊維層（３ｂ）とを係合させて取り付けを行うことを特徴とする請求項５に記載の脚カバー。 
【請求項７】
前記カバー材（３）がカーペット、ニードルパンチ又はニードルフェルトのいずれかである請求項１〜６のいずれかに記載の脚カバー。    
【発明の詳細な説明】
【技術分野】
【０００１】
本発明は、カバー材を脚立等の脚下端部に取り付けて使用する脚カバーに関するものである。
【背景技術】
【０００２】
従来、脚立等の先端部を覆うカバーとして、例えば、実開平１−７９８００号公報に記載のものが知られている。同公報記載の脚カバーは、Ｔ字型の化学繊維からなるシートの３方の端部両面に面ファスナーを縫い付け、これら３方の端部を中央方向に折り曲げることで、立柱先端部を包み囲む。
【特許文献１】実開平１−７９８００号公報
【０００３】
しかし、同構成によれば、面ファスナーによる締め付けのみでは、脚立を持ち運びする際に脚カバーが脚立から簡単に脱落する恐れがあった。また、フローリング上は化学繊維のシートが滑りやすい等、床の種類によっては接触する面の材質が不適切なこともあった。  
【発明の開示】
【発明が解決しようとする課題】
【０００４】
かかる従来の実状に鑑みて、本発明の第一の目的は、簡易な構成でありながら、脚立等の脚下端部から脱落し難い脚カバーを提供することにある。
【０００５】
また、本発明の第二の目的は、下面の材質を簡単に変更することの可能な脚カバーを提供することにある。     
【課題を解決するための手段】
【０００６】
上記目的を達成するため、本発明に係る脚カバーの第一の特徴は、カバー材を脚立等の脚下端部に取り付けて使用し、前記カバー材は底面部並びにこれに連なる第一側面部及び第二側面部と、前記第一側面部及び第二側面部の左右両辺同士をそれぞれ連結するための一対の連結部とを備えており、前記第一、第二側面部のうち前記連結部よりも上部にそれぞれ張り出す張出部が互いに引き寄せられて前記カバー材が前記脚下端部に固定されることにある。
【０００７】
この連結部は、前記第一側面部及び第二側面部のそれぞれから張り出す第一、第二連結部と、これら第一、第二連結部を互いに連結する連結具とを備えることで、第一側面部と第二側面部を連結を確実にすることができる。
【０００８】
さらに、前記張出部がこれに巻き付く固定具により互いに引き寄せられるようにするとよい。
【０００９】
本発明に係る脚カバーの第二の特徴は、上記いずれかの特徴を兼ね備えた脚カバーであって、カバー材は樹脂製の下地層及び繊維層を有し、表裏反転させて使用可能であるものを用いていることにある。
【００１０】
そして、上記本発明にかかる第二の特徴において、張出部を介して固定する固定具をさらに備え、この固定具は、前記第一側面部のうち前記連結部よりも上部に張り出す第一張出部の前記下地層側に固定される帯状体を備えると共にこの帯状体の遊端部側における表面にこの第一張出部の前記繊維層に係合可能な第二面ファスナーを備え、前記繊維層側表面を外側に配向した状態で前記帯状体を前記第二張出部に巻き付けると共に、前記第二面ファスナーと前記繊維層とを係合させて取り付けを行うようにしてもよい。
【００１１】
加えて、この固定具は前記第一側面部のうち前記連結部よりも上部に張り出す第一張出部の前記下地層側に固定される帯状体及びこの帯状体の前記第一張出部側端部にリングを有し、この帯状体の固定部側における表面にループテープを備えると共に、遊端部側における表面にこのループテープに係合可能な第二面ファスナーを備え、前記下地層側表面を外側に配向した状態で前記帯状体を前記第二張出部に巻き付け、前記帯状体遊端部側を前記リングで折り返し、前記帯状体の遊端部側を前記第二張出部に巻き付け、前記第二面ファスナーと前記帯状体の繊維層とを係合させて取り付けを行うようにしてもよい。
【００１２】
なお、前記カバー材として、カーペット、ニードルパンチ又はニードルフェルト等を用いることも可能である。
【発明の効果】
【００１３】
このように、上記本発明にかかる脚カバーの第一の特徴によれば、カバー材は第一側面部及び第二側面部の左右両辺同士を一対の連結部で連結しているので、脚部を確実に受け入れることができる。そして、連結部よりも上部にそれぞれ張り出す張出部が互いに引き寄せられるので、脚下端部に脚カバーを確実に固定することが可能となった。
【００１４】
また、上記脚カバーの第二の特徴によれば、カバー材が下地層及び繊維層を有しており、脚カバーの第一側面と第二側面を直接連結させずに連結部を介して連結する構成とした。これにより、接触する床の種類に応じて、外側に配向させる面を適宜選択することが可能となった。
【００１５】
本発明の他の目的、構成及び効果については以下に示す本発明の実施の形態の項で明らかになるであろう。
【発明を実施するための最良の形態】
【００１６】
次に、添付図面を参照しながら、本発明の実施形態について説明する。        図１、２は、脚立５の先端部を包み込む脚カバー１を示す。この脚カバー１は、大略、カバー材３と、カバー材３を脚立５に取り付けるための固定具２とを備えている。カバー材３としては、タイルカーペットの他、カーペットの切れ端、ニードルパンチ、ニードルフェルト等を用いることができる。
【００１７】
カバー材３は、図６、８に示すように、下地層３ａ及び後述する面ファスナーが係合可能な繊維層３ｂと、これら下地層３ａ及び繊維層３ｂを接合する接合層３ｃとからなる３層構造をなす。下地層３ａは、弾性を有するゴムや合成樹脂等の素材であり、フローリング等の床面に載置した際に、これらの表面どうしの摩擦抵抗により滑り止め効果を奏する。一方、繊維層３ｂの材料としては、図８に示すように、動物の毛や化学繊維等をループ状に形成したものを採用している。
【００１８】
カバー材３は、図４、５に示すように、互いにその境界で折り曲げ可能な複数の部分から構成されている。詳述すると、このカバー材３は、底面部３０並びにこれに連なる第一側面部３１及び第二側面部３２と、前記第一側面部３１及び第二側面部３２の左右両辺同士をそれぞれ連結するための一対の連結部３８、３８とを備えている。        
【００１９】
図４、５に示すように、連結部３８は、第一側面部３１及び第二側面部３２の双方の左右両辺から一対の連結部３５、３６として張り出させてある。この連結部３８のうち、第一側面部３１から張り出す連結部３５、３５の下地層３ａ側表面には、繊維層３ｂに係合可能な第一面ファスナーであるフックテープ３７を縫着部３７ｂにおいて縫着固定してある。このフックテープ３７は、図８に示すように、繊維層３ｂに係合する微細なフック３７ａを有するフックテープである。後述するように、このフックテープ３７を第二連結部３６の繊維層３ｂに係合させることで、第一側面部３１と第二側面部３２の連結を可能にしてある。なお、このフックテープ３７は、図８に示すようなフック形状のものに限らず、繊維層３ｂに係合可能なものであれば略Ｔ字形状のような形状のものであってもよい。
【００２０】
また、第一、第二側面部３１、３２のうち、連結部（３５、３６）よりも上部に張り出す部分を第一、第二張出部３３、３４と称する。そして、これら第一、第二張出部３３、３４を固定具２により互いに引き寄せてカバー材３を脚立端部に取り付ける。
【００２１】
固定具２は、図４、５に示すように、帯状体２０と、この帯状体２０の固定側端部にループで固定したリング２１とを備える。また、帯状体２０は、ループテープ２３及び第二面ファスナーたるフックテープ２４を備え、縫着部２４ｂにおいて互いに連結してある。そして、この帯状体２０のループテープ２３側端部を第一張出部３３の下地層３ａ側表面に縫着固定すると共に、遊端部側にフックテープ２４を設けてある。なお、本実施例では、ループテープ部２３の長さを側面部３３、３４の横幅の４倍に、フックテープ２４の長さを側面部３３、３４の横幅の２倍にしてある。
【００２２】
帯状体２０の上下幅は第一、第二張出部３３、３４の上下幅よりも小さく形成
してあり、これによって第二張出部３４上から帯状体２０が脱落することを防いでいる。また、フックテープ２４は、フックテープ３７と同様に、図８に示すようにフックテープとしてあるが、繊維層３ｂに係合可能なものであれば、フック２４ａ以外の形状のものであってもよい。
【００２３】
使用に際しては、先ず、脚立５の先端面を底面部３０に接触させた状態で第一側面部３１と、第二側面部３２をカバー材３の内側に向かって折り曲げる。その後、第一連結部３５、３５、第二連結部３６、３６をそれぞれカバー材３の内側に向かって折り曲げた後、フックテープ３７、３７を第二連結部３６、３６の繊維層３ｂに係合させる。なお、カバー材３の下地層３ａ側表面を外側に配向させた際には、第一連結部３５、３５が内側に、第二連結部３６、３６が外側に位置するのに対し、カバー材３の繊維層３ｂ側表面を外側に配向させた際には、第二連結部３６、３６が内側に、第一連結部３５、３５が外側にそれぞれ位置することとなる。
【００２４】
まず、畳やカーペット等のその表面に凹凸のある床面に載置する際には、カバー材３の繊維層３ｂ側表面を外側に配向させる。この場合、帯状体２０を第一張出部３３、第二張出部３４の周囲を掛け回すことで、脚立５の先端部を締め付ける。その際、ループテープ２３が第二張出部３４の繊維層３ｂ表面に接当し、フックテープ２４が第一張出部の繊維層３ｂに係合することにより、帯状体２０による締め付け状態が維持される。なお、その際、帯状体２０の上端を第一張出部３３及び第二張出部３４の上端よりも低くなるように位置させることで、帯状体２０が第一張出部３３及び第二張出部３４から外れることを防止する。  
【００２５】
一方、フローリング等の表面が滑らかな床面に載置する際には、カバー材３の下地層３ａ側表面を外側に配向させる。この場合、帯状体２０は第二張出部３４の下地層（３ａ）表面に接当するようにカバー材３の周囲に掛け回した後、リング２１で一旦折り返し、再びカバー材３の周囲を掛け回す。その際、折り返されたフックテープ２４のフック２４ａが第二張出部３４の下地層（３ａ）側表面に接しているループテープ２３のループ２３ａに係合することとなる。
【００２６】
なお、本実施形態では、上記帯状体２０として、ループ又はフックが片面にのみ存在する片面テープを使用した。しかし、少なくとも帯状テープ２０の遊端側端部の表裏面に面ファスナーを設けるようにしてもよい。その際には、帯状テープ２０の遊端部側をリング２１で折り返すことなく第一側面部に掛け回すと共に、この裏面に設けた面ファスナーを一巻目の帯状体２０表面のループテープ２３に係合させてもよい。但し、リング２１で折り返す構成の方が、片面にのみフックテープを設けるのみでよく、帯状テープが短くて済み、しかも、脱落しにくいという点で優れている。
【００２７】
次に、本発明の他の実施形態について説明する。なお、以下の各実施形態では、主として先の実施形態と異なる部分について説明し、先の実施形態と同様の部材には同様の符号を付してある。
【００２８】
図９、１０に示す本発明の第二実施形態では、底面部３０の形状を略正方形状ではなく、略長方形としてある。また、側面部３１、３２の高さを高くすることで、脚立５の脚下端部とカバー材３の接触面積を大きくなるように構成してある。
【００２９】
図１１に示す本発明の第三実施形態では、固定具２を樹脂製のストラップ等である帯状体２０と、この帯状体２０の固定端側端部にループで固定した２つのリング２１ａ、２１ｂにより構成してある。そして、帯状体２０を第二張出部３４の周囲に掛け回した後、第一リング２１ａに折り返して係止すると共に、第二リング２１ｂに挿通させる。そして、これら第一リング２１ａ及び第二リング２１ｂをバックル（締め金）として作用させ、帯状体２０による締めつけにより、第一張出部３３と第二張出部３４とが引き寄せられる。
【００３０】
図１２、１３に示す本発明の第四実施形態では、第一連結部３５と第二連結部３６の連結具として、ホック４０を用いている。このホック４０は、大略、第一連結部３５に固定してある雌体４１と、第二連結部３６に固定してある雄対４２とを備える。そして、雄体４２の凸部４２ａを雌体４１の凹部４１ａに嵌合させることで、第一側面部３５と第二側面部３６を連結してある。なお、第一側面部３５に雄体４２を第二側面部３６に雌体４１をそれぞれ固定しても構わない。
【００３１】
また、上記実施形態では、下地層３ａと繊維層３ｂの二層を有し、表裏面の材質がそれぞれ異なるカバー材３を用いた。しかし、本実施形態では、カバー材３として、一層構造であって、表裏面の材質が同一のニードルパンチやニードルフェルトを用いている。そして、本実施形態では、固定具２として、輪ゴム４５を用いることで、脚カバー３の表裏面の材質に関係なく、第一張出部３３及び第二張出部３４を互いに引き寄せることを可能にしてある。
【００３２】
次に、本発明のさらに他の実施形態の可能性について言及する。
上記各実施形態では、第一側面部３１と第二側面部３２を連結する連結部３８として、第一連結部３５及び第二連結部３６を設けたが、第一連結部３５のみ設けるようにしてもよい。かかる構成にあっては、第一連結部３５の長さを伸延させるとよい。特に、上記第一及び第二実施形態にあっては、カバー材３の下地層３ａ側表面を外側に配向させた際には、第一連結部位３５の遊端側端部を折り曲げ、フックテープ３７を第二側面部３２の繊維層３ｂに係合させればよい。一方、カバー材３の繊維層側３ｂを外側に配向させた際には、第一連結部３５の遊端側端部を第二側面部３２を跨いだ後に折り曲げ、フックテープ３７を第二側面３４の繊維層３ｂに係合させればよい。
【００３３】
上記各実施形態では、固定具２を構成する帯状体２０としてループテープ２３及びフックテープ２４を連結したもの並びに輪ゴム４５及びストラップを使用した。しかし、これら帯状のものに限らず、紐や、針金、ロープ等により締め付けてもよい。
【００３４】
また、上記第一及び第二実施形態では、帯状体２０の端部を第一張出部３３に縫着固定したが、これに限らず、例えば、接着材や、ヒートシール等で固定してもよく、第一張出部３３に形成した切込みに帯状体２０を貫通させてもよい。また、単に巻き付けるのみであってもよいが、脱落防止のためには、帯状体２０が第一張出部３３に固定されることが望ましい。
【００３５】
上記各実施形態では、上記本発明に係る脚カバー１を脚立５の脚下端部に取り付けて使用した。しかし、これに限らず、上記本発明に係る脚カバー１を机や、椅子等の脚カバーとして使用することもできる。
【００３６】
なお、特許請求の範囲の項に記入した符号は、あくまでも図面との対照を便利にするためのものにすぎず、該記入により本発明は添付図面の構成に限定されるものではない。
【図面の簡単な説明】
【００３７】
【図１】本発明に係る脚カバーの繊維層側表面を外側に配向した組み立て状態を示す斜視図である。
【図２】本発明にかかる脚カバーの下地層側表面を外側に配向した組み立て状態を示す斜視図である。
【図３】固定具の一部を切り欠いた取付状態を示す平面図である。
【図４】本発明に係る脚カバーの展開平面図である。
【図５】図４の展開底面図である。
【図６】本発明に係る脚カバーの左側面図である。
【図７】（ａ）は図４のＡ−Ａ部拡大図、（ｂ）は図４のＢ−Ｃ部拡大図、（ｃ）は図４のＤ−Ｅ部拡大図である、（ｄ）は図５のＦ−Ｆ部拡大図である。
【図８】図６のＧ−Ｇ部拡大図である。
【図９】本発明の第二実施形態に係る脚カバーの組み立て状態を示す斜視図である。
【図１０】図９の展開平面図である。
【図１１】本発明の第三実施形態に係る脚カバーの斜視図である。
【図１２】本発明の第四実施形態に係る脚カバーの斜視図である。
【図１３】図１２のＨ−Ｈ線におけるＩ−Ｉ部の拡大断面図である。
【符号の説明】
【００３８】
１：脚カバー、２：固定具、３：カバー材、３ａ：下地層、３ｂ：繊維層、３ｃ：接合層、５：脚立、２０：帯状体、２１：リング、２１ａ：第一リング、２１ｂ第二リング、２３：ループテープ、２３ａ：ループ、２３ｂ：縫着部、２４：第二面ファスナー（フックテープ）、２４ａ：フック、２４ｂ：縫着部、３０：底面部、３１：第一側面部、３２：第二側面部、３３：第一張出部、３４：  第二張出部、３５：第一連結部、３６：第二連結部、３７：第一面ファスナー（フックテープ）、３７ａ：フック、３７ｂ縫着部、３８：連結部、４０：ホック、４１：雌体、４１ａ：凹部、４２：雄体、４２ａ：凸部、４５：輪ゴム（固定具）
【図１】
2006063797.tif 000003
【図２】
2006063797.tif 000004
【図３】
2006063797.tif 000005
【図４】
2006063797.tif 000006
【図５】
2006063797.tif 000007
【図６】
2006063797.tif 000008
【図７】
2006063797.tif 000009
【図８】
2006063797.tif 000010
【図９】
2006063797.tif 000011
【図１０】
2006063797.tif 000012
【図１１】
2006063797.tif 000013
【図１２】
2006063797.tif 000014
【図１３】
2006063797.tif 000015
【手続補正書】
【提出日】平成17年12月6日(2005.12.6)
【手続補正１】
【補正対象書類名】特許請求の範囲
【補正対象項目名】全文
【補正方法】変更
【補正の内容】
【特許請求の範囲】
【請求項１】
カバー材（３）が底面部（３０）並びにこれに連なる第一側面部（３１）及び第二側面部（３２）を備え、前記カバー材（３）を脚立（５）等の脚下端部に取り付けて使用する脚カバーであって、
前記第一側面部（３１）及び第二側面部（３２）の上部の張出部（３３，３４）に巻き付き、これら張出部（３３，３４）を互いに引き寄せる固定具（２）を有し、前記カバー材（３）は樹脂製の下地層（３ａ）及び繊維層（３ｂ）を有し、表裏反転させて使用可能であることを特徴とする脚カバー。
【請求項２】
前記固定具（２）は輪ゴムであることを特徴とする請求項１に記載の脚カバー。
【請求項３】
前記固定具（２）は、前記第一側面部（３１）の上部の第一張出部（３３）の前記下地層（３ａ）側に固定される帯状体（２０）を備えると共にこの帯状体（２０）の遊端部側における表面にこの第一張出部（３３）の前記繊維層（３ｂ）に係合可能な第二面ファスナー（２４）を備え、前記繊維層（３ｂ）側表面を外側に配向した状態で前記帯状体（２０）を前記第二張出部（３４）に巻き付けると共に、前記第二面ファスナー（２４）と前記繊維層（３ｂ）とを係合させて取り付けを行うことを特徴とする請求項１に記載の脚カバー。
【請求項４】
前記固定具（２）は前記第一側面部（３１）の上部の第一張出部（３３）の前記下地層（３ａ）側に固定される帯状体（２０）及びこの帯状体（２０）の前記第一張出部（３３）側端部にリング（２１）を有し、この帯状体（２０）の固定部側における表面にループテープ（２３）を備えると共に、遊端部側における表面にこのループテープ（２３）に係合可能な第二面ファスナー（２４）を備え、前記下地層（３ａ）側表面を外側に配向した状態で前記帯状体（２０）を前記第二張出部（３４）に巻き付け、前記帯状体（２０）遊端部側を前記リング（２１）で折り返し、前記帯状体（２０）の遊端部側を前記第二張出部（３４）に巻き付け、前記第二面ファスナー（２４）と前記帯状体（２０）の繊維層（３ｂ）とを係合させて取り付けを行うことを特徴とする請求項３に記載の脚カバー。
【請求項５】
前記カバー材（３）がカーペット、ニードルパンチ又はニードルフェルトのいずれかである請求項１〜４のいずれかに記載の脚カバー。
【手続補正２】
【補正対象書類名】明細書
【補正対象項目名】全文
【補正方法】変更
【補正の内容】
【発明の詳細な説明】
【技術分野】
【０００１】
本発明は、カバー材を脚立等の脚下端部に取り付けて使用する脚カバーに関するものである。
【背景技術】
【０００２】
従来、脚立等の先端部を覆うカバーとして、例えば、実開平１−７９８００号公報に記載のものが知られている。同公報記載の脚カバーは、Ｔ字型の化学繊維からなるシートの３方の端部両面に面ファスナーを縫い付け、これら３方の端部を中央方向に折り曲げることで、立柱先端部を包み囲む。
【特許文献１】実開平１−７９８００号公報
【０００３】
しかし、同構成によれば、面ファスナーによる締め付けのみでは、脚立を持ち運びする際に脚カバーが脚立から簡単に脱落する恐れがあった。また、フローリング上は化学繊維のシートが滑りやすい等、床の種類によっては接触する面の材質が不適切なこともあった。  
【発明の開示】
【発明が解決しようとする課題】
【０００４】
かかる従来の実状に鑑みて、本発明の第一の目的は、簡易な構成でありながら、脚立等の脚下端部から脱落し難い脚カバーを提供することにある。
【０００５】
また、本発明の第二の目的は、下面の材質を簡単に変更することの可能な脚カバーを提供することにある。     
【課題を解決するための手段】
【０００６】
上記目的を達成するため、本発明に係る脚カバーの特徴は、カバー材が底面部並びにこれに連なる第一側面部及び第二側面部を備え、前記カバー材を脚立等の脚下端部に取り付けて使用する脚カバーであって、前記第一側面部及び第二側面部の上部の張出部に巻き付き、これら張出部を互いに引き寄せる固定具を有し、前記カバー材は樹脂製の下地層及び繊維層を有し、表裏反転させて使用可能であることにある。前記固定具は輪ゴムであることが望ましい。
【０００７】
そして、前記固定具は、前記第一側面部の上部の第一張出部の前記下地層側に固定される帯状体を備えると共にこの帯状体の遊端部側における表面にこの第一張出部の前記繊維層に係合可能な第二面ファスナーを備え、前記繊維層側表面を外側に配向した状態で前記帯状体を前記第二張出部に巻き付けると共に、前記第二面ファスナーと前記繊維層とを係合させて取り付けを行うようにしてもよい。
【０００８】
加えて、この固定具は前記第一側面部の上部の第一張出部の前記下地層側に固定される帯状体及びこの帯状体の前記第一張出部側端部にリングを有し、この帯状体の固定部側における表面にループテープを備えると共に、遊端部側における表面にこのループテープに係合可能な第二面ファスナーを備え、前記下地層側表面を外側に配向した状態で前記帯状体を前記第二張出部に巻き付け、前記帯状体遊端部側を前記リングで折り返し、前記帯状体の遊端部側を前記第二張出部に巻き付け、前記第二面ファスナーと前記帯状体の繊維層とを係合させて取り付けを行うようにしてもよい。
【０００９】
なお、前記カバー材として、カーペット、ニードルパンチ又はニードルフェルト等を用いることも可能である。
【発明の効果】
【００１０】
このように、上記本発明にかかる脚カバーの特徴によれば、第一側面部及び第二側面部の上部の張出部が互いに引き寄せられるので、脚下端部に脚カバーを確実に固定することが可能となった。
【００１１】
また、カバー材が下地層及び繊維層を有しており、脚カバーの第一側面と第二側面を直接連結させずに連結する構成とした。これにより、接触する床の種類に応じて、外側に配向させる面を適宜選択することが可能となった。
【００１２】
本発明の他の目的、構成及び効果については以下に示す本発明の実施の形態の項で明らかになるであろう。
【発明を実施するための最良の形態】
【００１３】
次に、添付図面を参照しながら、本発明の実施形態について説明する。
図１、２は、脚立５の先端部を包み込む脚カバー１を示す。この脚カバー１は、大略、カバー材３と、カバー材３を脚立５に取り付けるための固定具２とを備えている。カバー材３としては、タイルカーペットの他、カーペットの切れ端、ニードルパンチ、ニードルフェルト等を用いることができる。
【００１４】
カバー材３は、図６、８に示すように、下地層３ａ及び後述する面ファスナーが係合可能な繊維層３ｂと、これら下地層３ａ及び繊維層３ｂを接合する接合層３ｃとからなる３層構造をなす。下地層３ａは、弾性を有するゴムや合成樹脂等の素材であり、フローリング等の床面に載置した際に、これらの表面どうしの摩擦抵抗により滑り止め効果を奏する。一方、繊維層３ｂの材料としては、図８に示すように、動物の毛や化学繊維等をループ状に形成したものを採用している。
【００１５】
カバー材３は、図４、５に示すように、互いにその境界で折り曲げ可能な複数の部分から構成されている。詳述すると、このカバー材３は、底面部３０並びにこれに連なる第一側面部３１及び第二側面部３２と、前記第一側面部３１及び第二側面部３２の左右両辺同士をそれぞれ連結するための一対の連結部３８、３８とを備えている。        
【００１６】
図４、５に示すように、連結部３８は、第一側面部３１及び第二側面部３２の双方の左右両辺から一対の連結部３５、３６として張り出させてある。この連結部３８のうち、第一側面部３１から張り出す連結部３５、３５の下地層３ａ側表面には、繊維層３ｂに係合可能な第一面ファスナーであるフックテープ３７を縫着部３７ｂにおいて縫着固定してある。このフックテープ３７は、図８に示すように、繊維層３ｂに係合する微細なフック３７ａを有するフックテープである。後述するように、このフックテープ３７を第二連結部３６の繊維層３ｂに係合させることで、第一側面部３１と第二側面部３２の連結を可能にしてある。なお、このフックテープ３７は、図８に示すようなフック形状のものに限らず、繊維層３ｂに係合可能なものであれば略Ｔ字形状のような形状のものであってもよい。
【００１７】
また、第一、第二側面部３１、３２のうち、連結部（３５、３６）よりも上部に張り出す部分を第一、第二張出部３３、３４と称する。そして、これら第一、第二張出部３３、３４を固定具２により互いに引き寄せてカバー材３を脚立端部に取り付ける。
【００１８】
固定具２は、図４、５に示すように、帯状体２０と、この帯状体２０の固定側端部にループで固定したリング２１とを備える。また、帯状体２０は、ループテープ２３及び第二面ファスナーたるフックテープ２４を備え、縫着部２４ｂにおいて互いに連結してある。そして、この帯状体２０のループテープ２３側端部を第一張出部３３の下地層３ａ側表面に縫着固定すると共に、遊端部側にフックテープ２４を設けてある。なお、本実施例では、ループテープ部２３の長さを側面部３３、３４の横幅の４倍に、フックテープ２４の長さを側面部３３、３４の横幅の２倍にしてある。
【００１９】
帯状体２０の上下幅は第一、第二張出部３３、３４の上下幅よりも小さく形成
してあり、これによって第二張出部３４上から帯状体２０が脱落することを防いでいる。また、フックテープ２４は、フックテープ３７と同様に、図８に示すようにフックテープとしてあるが、繊維層３ｂに係合可能なものであれば、フック２４ａ以外の形状のものであってもよい。
【００２０】
使用に際しては、先ず、脚立５の先端面を底面部３０に接触させた状態で第一側面部３１と、第二側面部３２をカバー材３の内側に向かって折り曲げる。その後、第一連結部３５、３５、第二連結部３６、３６をそれぞれカバー材３の内側に向かって折り曲げた後、フックテープ３７、３７を第二連結部３６、３６の繊維層３ｂに係合させる。なお、カバー材３の下地層３ａ側表面を外側に配向させた際には、第一連結部３５、３５が内側に、第二連結部３６、３６が外側に位置するのに対し、カバー材３の繊維層３ｂ側表面を外側に配向させた際には、第二連結部３６、３６が内側に、第一連結部３５、３５が外側にそれぞれ位置することとなる。
【００２１】
まず、畳やカーペット等のその表面に凹凸のある床面に載置する際には、カバー材３の繊維層３ｂ側表面を外側に配向させる。この場合、帯状体２０を第一張出部３３、第二張出部３４の周囲を掛け回すことで、脚立５の先端部を締め付ける。その際、ループテープ２３が第二張出部３４の繊維層３ｂ表面に接当し、フックテープ２４が第一張出部の繊維層３ｂに係合することにより、帯状体２０による締め付け状態が維持される。なお、その際、帯状体２０の上端を第一張出部３３及び第二張出部３４の上端よりも低くなるように位置させることで、帯状体２０が第一張出部３３及び第二張出部３４から外れることを防止する。  
【００２２】
一方、フローリング等の表面が滑らかな床面に載置する際には、カバー材３の下地層３ａ側表面を外側に配向させる。この場合、帯状体２０は第二張出部３４の下地層（３ａ）表面に接当するようにカバー材３の周囲に掛け回した後、リング２１で一旦折り返し、再びカバー材３の周囲を掛け回す。その際、折り返されたフックテープ２４のフック２４ａが第二張出部３４の下地層（３ａ）側表面に接しているループテープ２３のループ２３ａに係合することとなる。
【００２３】
なお、本実施形態では、上記帯状体２０として、ループ又はフックが片面にのみ存在する片面テープを使用した。しかし、少なくとも帯状テープ２０の遊端側端部の表裏面に面ファスナーを設けるようにしてもよい。その際には、帯状テープ２０の遊端部側をリング２１で折り返すことなく第一側面部に掛け回すと共に、この裏面に設けた面ファスナーを一巻目の帯状体２０表面のループテープ２３に係合させてもよい。但し、リング２１で折り返す構成の方が、片面にのみフックテープを設けるのみでよく、帯状テープが短くて済み、しかも、脱落しにくいという点で優れている。
【００２４】
次に、本発明の他の実施形態について説明する。なお、以下の各実施形態では、主として先の実施形態と異なる部分について説明し、先の実施形態と同様の部材には同様の符号を付してある。
【００２５】
図９、１０に示す本発明の第二実施形態では、底面部３０の形状を略正方形状ではなく、略長方形としてある。また、側面部３１、３２の高さを高くすることで、脚立５の脚下端部とカバー材３の接触面積を大きくなるように構成してある。
【００２６】
図１１に示す本発明の第三実施形態では、固定具２を樹脂製のストラップ等である帯状体２０と、この帯状体２０の固定端側端部にループで固定した２つのリング２１ａ、２１ｂにより構成してある。そして、帯状体２０を第二張出部３４の周囲に掛け回した後、第一リング２１ａに折り返して係止すると共に、第二リング２１ｂに挿通させる。そして、これら第一リング２１ａ及び第二リング２１ｂをバックル（締め金）として作用させ、帯状体２０による締めつけにより、第一張出部３３と第二張出部３４とが引き寄せられる。
【００２７】
図１２、１３に示す本発明の第四実施形態では、第一連結部３５と第二連結部３６の連結具として、ホック４０を用いている。このホック４０は、大略、第一連結部３５に固定してある雌体４１と、第二連結部３６に固定してある雄対４２とを備える。そして、雄体４２の凸部４２ａを雌体４１の凹部４１ａに嵌合させることで、第一側面部３５と第二側面部３６を連結してある。なお、第一側面部３５に雄体４２を第二側面部３６に雌体４１をそれぞれ固定しても構わない。
【００２８】
また、上記実施形態では、下地層３ａと繊維層３ｂの二層を有し、表裏面の材質がそれぞれ異なるカバー材３を用いた。しかし、本実施形態では、カバー材３として、一層構造であって、表裏面の材質が同一のニードルパンチやニードルフェルトを用いている。そして、本実施形態では、固定具２として、輪ゴム４５を用いることで、脚カバー３の表裏面の材質に関係なく、第一張出部３３及び第二張出部３４を互いに引き寄せることを可能にしてある。
【００２９】
次に、本発明のさらに他の実施形態の可能性について言及する。
上記各実施形態では、第一側面部３１と第二側面部３２を連結する連結部３８として、第一連結部３５及び第二連結部３６を設けたが、第一連結部３５のみ設けるようにしてもよい。かかる構成にあっては、第一連結部３５の長さを伸延させるとよい。特に、上記第一及び第二実施形態にあっては、カバー材３の下地層３ａ側表面を外側に配向させた際には、第一連結部位３５の遊端側端部を折り曲げ、フックテープ３７を第二側面部３２の繊維層３ｂに係合させればよい。一方、カバー材３の繊維層側３ｂを外側に配向させた際には、第一連結部３５の遊端側端部を第二側面部３２を跨いだ後に折り曲げ、フックテープ３７を第二側面３４の繊維層３ｂに係合させればよい。
【００３０】
上記各実施形態では、固定具２を構成する帯状体２０としてループテープ２３及びフックテープ２４を連結したもの並びに輪ゴム４５及びストラップを使用した。しかし、これら帯状のものに限らず、紐や、針金、ロープ等により締め付けてもよい。
【００３１】
また、上記第一及び第二実施形態では、帯状体２０の端部を第一張出部３３に縫着固定したが、これに限らず、例えば、接着材や、ヒートシール等で固定してもよく、第一張出部３３に形成した切込みに帯状体２０を貫通させてもよい。また、単に巻き付けるのみであってもよいが、脱落防止のためには、帯状体２０が第一張出部３３に固定されることが望ましい。
【００３２】
上記各実施形態では、上記本発明に係る脚カバー１を脚立５の脚下端部に取り付けて使用した。しかし、これに限らず、上記本発明に係る脚カバー１を机や、椅子等の脚カバーとして使用することもできる。
【００３３】
なお、特許請求の範囲の項に記入した符号は、あくまでも図面との対照を便利にするためのものにすぎず、該記入により本発明は添付図面の構成に限定されるものではない。
【図面の簡単な説明】
【００３４】
【図１】本発明に係る脚カバーの繊維層側表面を外側に配向した組み立て状態を示す斜視図である。
【図２】本発明にかかる脚カバーの下地層側表面を外側に配向した組み立て状態を示す斜視図である。
【図３】固定具の一部を切り欠いた取付状態を示す平面図である。
【図４】本発明に係る脚カバーの展開平面図である。
【図５】図４の展開底面図である。
【図６】本発明に係る脚カバーの左側面図である。
【図７】（ａ）は図４のＡ−Ａ部拡大図、（ｂ）は図４のＢ−Ｃ部拡大図、（ｃ）は図４のＤ−Ｅ部拡大図である、（ｄ）は図５のＦ−Ｆ部拡大図である。
【図８】図６のＧ−Ｇ部拡大図である。
【図９】本発明の第二実施形態に係る脚カバーの組み立て状態を示す斜視図である。
【図１０】図９の展開平面図である。
【図１１】本発明の第三実施形態に係る脚カバーの斜視図である。
【図１２】本発明の第四実施形態に係る脚カバーの斜視図である。
【図１３】図１２のＨ−Ｈ線におけるＩ−Ｉ部の拡大断面図である。
【符号の説明】
【００３５】
１：脚カバー、２：固定具、３：カバー材、３ａ：下地層、３ｂ：繊維層、３ｃ：接合層、５：脚立、２０：帯状体、２１：リング、２１ａ：第一リング、２１ｂ第二リング、２３：ループテープ、２３ａ：ループ、２３ｂ：縫着部、２４：第二面ファスナー（フックテープ）、２４ａ：フック、２４ｂ：縫着部、３０：底面部、３１：第一側面部、３２：第二側面部、３３：第一張出部、３４：  第二張出部、３５：第一連結部、３６：第二連結部、３７：第一面ファスナー（フックテープ）、３７ａ：フック、３７ｂ：縫着部、３８：連結部、４０：ホック、４１：雌体、４１ａ：凹部、４２：雄体、４２ａ：凸部、４５：輪ゴム（固定具）